(57)【要約】【課題】磁気記録再生装置において、テンションポストの位置調整時に上下変動が発生する。【解決手段】バンド固定部と基盤を繋ぐ第１の柱と、第１の柱と平行な第２の柱を設け、バンド固定端を下から支える突起を設け、互いの開口部が対抗する位置に第１と第２の切欠き部を設けることにより、テンション制御性が良く、微妙な位置調整が簡単に行え、バンド固定端が位置調整時に上下方向に変形することを防止するテンション位置調整機構を実現する。【選択図】図３
2008152857.tif 000002
【特許請求の範囲】
【請求項１】
基盤に装着されたカセットからテープを引き出し、信号の入出力を行う磁気記録再生装置であって、
前記基盤に回動自在に軸支され、カセット内のリールが係合されるリール台と、
前記基盤に回動自在に軸支されたテンションアームと、
テープが巻回され、前記テンションアームに植立されたテンションポストと、
一端が前記テンションアームに回動自在に設けられ、他端が前記基盤に回動自在に設けられ、中央部が前記リール台に巻回されるテンションバンドと、
前記テンションポストによってテープが張る方向に前記テンションアームを付勢するバネを設けたテープテンション制御機構において、
バンド固定部と、
バンド固定部に設けられた円筒部と、
前記バンド固定部と基盤を繋ぐ第１の柱と、
前記バンド固定部と基盤を繋ぎ、前記第１の柱と平行な第２の柱と、前記テンションバンドの他端に設けられた第１の穴部を有し、前記第１の穴部によって前記テンションバンドの他端が前記円筒部に回動自在に係合することを特徴とする磁気記録再生装置。
【請求項２】
バンド固定端に設けられた円筒部がリール台の回転軸と平行であることを特徴とする請求項１記載の磁気記録再生装置。
【請求項３】
バンド固定部に設けた第１の突起部と、
前記第１の突起部は、バンド固定部との間に第１の間隙部を有し、テンションバンドの他端部が前記第１の間隙部に位置することを特徴とする請求項１記載の磁気記録再生装置。
【請求項４】
第２の突起部を基盤に設け、円筒部を設けたバンド固定部の裏面側に前記第２の突起部の一端が接するように設けることを特徴とする請求項１記載の磁気記録再生装置。
【請求項５】
第１の切欠き部を基盤に設け、第２の切欠き部をバンド固定部に設け、前記第１の切欠き部と前記第２の切欠き部は互いの開口部が対抗する位置に設けることを特徴とする請求項１記載の磁気記録再生装置。
【発明の詳細な説明】
【技術分野】
【０００１】
本発明は、回転磁気ヘッドが取付けられたシリンダに磁気テープを巻き付けて走行させて、磁気ヘッドとテープの摺接をはかり、信号の記録再生を行うビデオテープレコーダーをはじめとする磁気記録再生装置に関するものである。
【背景技術】
【０００２】
近年、カセット式ビデオテープレコーダーのような磁気記録再生装置は小型・高密度記録化が進んでいる。
【０００３】
以下に従来の磁気記録再生装置について説明する。
【０００４】
図６は従来の磁気記録再生装置のテンションアーム部の平面図である。図６において１は基盤、２はテープ、３は供給側リール台で、基盤１に設けられたリール軸４に回転自在に取り付けられている。５はテンションアームで、基盤１に設けられた支軸６に対して回動自在に設けられている。７はテンションアーム５に設けられたテンションポストでテープ３が巻回されている。８はテンションバンドで、その一端８ａがテンションアーム５に回動自在に保持され、中央部８ｂは供給側リール台３に巻回されている。９はテンションバンド固定部材で、テンションバンドの他端８ｃはテンションバンド固定部材９に軸１０にて回動自在に保持されている。テンションバンド固定部材９はねじ１１によって基盤１に位置調整後、ねじ止め固定されている。１２はバネで、基盤１上に設けられ、テンションアーム８を半時計方向に付勢している。
【０００５】
このように構成された従来の磁気記録再生装置において、テンションポスト７の位置を調整するために、テンションバンド固定部材９を移動させ、テンションポスト７の位置調整後、ねじ１１によってテンションバンド固定部材９は基盤１にねじ止め固定される。
【特許文献１】特開２００２−１９７７５４号公報
【発明の開示】
【発明が解決しようとする課題】
【０００６】
しかしながら上記の従来の構成では、テンションポストの位置を調整するために、テンションバンド固定部材とねじが必要であり、また、ねじを一旦緩めてしまうと、テンションバンド固定部材の位置決めがなくなり、位置調整が困難になるという問題を有していた。
【０００７】
本発明は上記従来の問題点を解決するもので、テンションポストの位置調整が簡単な作業で、精度よく行うことが出来、かつテンション制御性がよい磁気記録再生装置を提供することを目的とする。
【課題を解決するための手段】
【０００８】
この目的を達成するために本発明の磁気記録再生装置は、バンド固定部と、バンド固定部に設けられた円筒部と、前記バンド固定部と基盤を繋ぐ第１の柱と、前記バンド固定部と基盤を繋ぎ、前記第１の柱と平行な第２の柱と、前記テンションバンドの他端に設けられた第１の穴部を有し、前記第１の穴部によって前記テンションバンドの他端が前記円筒部に回動自在に係合する構成になっている。
【発明の効果】
【０００９】
この構成によって、テンションポストの位置調整が簡単な作業で、精度よく行うことが出来、かつテンション制御性がよい磁気記録再生装置を、少ない部品点数にて実現することができる。
【発明を実施するための最良の形態】
【００１０】
本発明の請求項１に記載の発明は、基盤に装着されたカセットからテープを引き出し、信号の入出力を行う磁気記録再生装置であって、前記基盤に回動自在に軸支され、カセット内のリールが係合されるリール台と、前記基盤に回動自在に軸支されたテンションアームと、テープが巻回され、前記テンションアームに植立されたテンションポストと、一端が前記テンションアームに回動自在に設けられ、他端が前記基盤に回動自在に設けられ、中央部が前記リール台に巻回されるテンションバンドと、前記テンションポストによってテープが張る方向に前記テンションアームを付勢するバネを設けたテープテンション制御機構において、バンド固定部と、バンド固定部に設けられた円筒部と、前記バンド固定部と基盤を繋ぐ第１の柱と、前記バンド固定部と基盤を繋ぎ、前記第１の柱と平行な第２の柱と、前記テンションバンドの他端に設けられた第１の穴部を有し、前記第１の穴部によって前記テンションバンドの他端が前記円筒部に回動自在に係合することを特徴とすることによって、テンションポストの位置調整が簡単な作業で、精度よく行うことが出来、かつテンション制御性がよい磁気記録再生装置を、少ない部品点数にて実現する作用を有する。
【００１１】
請求項２に記載の発明は、バンド固定端に設けられた円筒部がリール台の回転軸と平行であることを特徴とする。これにより、テンションポストの位置調整が簡単な作業で、精度よく行うことが出来、かつテンション制御性がよい磁気記録再生装置を、少ない部品点数にて実現する作用を有する。
【００１２】
請求項３に記載の発明は、バンド固定部に設けた第１の突起部と、前記第１の突起部は、バンド固定部との間に第１の間隙部を有し、テンションバンドの他端部が前記第１の間隙部に位置することを特徴とする。これにより、テンションポストの位置調整が簡単な作業で、精度よく行うことが出来、かつテンション制御性がよい磁気記録再生装置を、少ない部品点数にて実現する作用を有する。
【００１３】
請求項４に記載の発明は、第２の突起部を基盤に設け、円筒部を設けたバンド固定部の裏面側に前記第２の突起部の１端が接するように設けることを特徴とする。これにより、テンションポストの位置調整を行ったときにバンド固定部の高さが変化することなく安易にテンションポストの位置調整が可能な磁気記録再生装置を実現する作用を有する。
【００１４】
請求項５に記載の発明は、第１の切欠き部を基盤に設け、第２の切欠き部をバンド固定部に設け、前記第１の切欠き部と前記第２の切欠き部は互いの開口部が対抗する位置に設けることを特徴とする。これにより、テンションポストの位置調整を行ったときにバンド固定部の高さが変化することなく安易にテンションポストの位置調整が可能な磁気記録再生装置を実現する作用を有する。
【００１５】
本発明の一実施の形態について、図１から図５を用いて以下に説明する。
【００１６】
（実施の形態１）
図１は、本発明の磁気記録再生装置のテンションアーム部の平面図であり、図２はそのバンド固定部の斜視図、図３はテンションバンドとバンド固定部の斜視図である。図１，２，３において１は基盤、２はテープ、３は供給側リール台で、基盤１に設けられたリール軸４に回転自在に取り付けられている。５はテンションアームで、基盤１に設けられた支軸６に対して回動自在に設けられている。７はテンションアーム５に設けられたテンションポストで、テープ３が巻回されている。８はテンションバンドで、その一端８ａがテンションアーム５に回動自在に保持され、中央部８ｂは供給側リール台３に巻回されている。１３はバンド固定部で、１４はバンド固定部１３に設けられた円筒部で、１５はバンド固定部１３と基盤を繋ぐ第１の柱で、１６はバンド固定部１３と基盤１を繋ぎ、第１の柱１５と平行な第２の柱である。８ｄはテンションバンドの他端８ｃに設けられた第１の穴部で、第１の穴部８ｄによってテンションバンドの他端８ｃが円筒部１４に回動自在に係合する。
【００１７】
１７はバンド固定部１３に設けた第１の突起部で、第１の突起部１７は、バンド固定部１３との間に間隙部１８を有し、テンションバンドの他端部８ｃが間隙部１８に位置する。
【００１８】
１９は第２の突起部で、円筒部１４を設けたバンド固定部１３の裏面側に第２の突起部１９の一端が接するように設けられている。２０は基盤に設けられた第１の切欠き部で、２１はバンド固定部に設けられた第２の切欠き部である。第１の切欠き部２０と第２の切欠き部２１は互いの開口部が対抗する位置に設けられている。
【００１９】
図４，５はバンド固定部の平面模式図である。図４，５においては、テンションバンド８、第１の突起部１７、第２の突起部１９は省略されている。２２はテンションポスト位置調整用治具の先端部で、テンションポスト位置調整用治具２２を第１の切欠き部２０と第２の切欠き部２１に挿入し、捻ることにより、図４の状態から図５の状態のようにバンド固定部１３を矢印２３のように位置調整することが出来る。この時、第１の柱１５と第２の柱１６は平行である為、バンド固定部は矢印の方向に移動するため、微妙な位置調整が簡単に行える。また、バンド固定端１３の下には、第２の突起部１９の一端が接している為、バンド固定端１３が調整時に上下方向に変形することを防止する。テンションバンドの第１の穴部８ｄは円筒部１４に係合する。第１の穴部８ｄ、および円筒部１４の両者は円形形状で接するため良好なテンション制御性が得られる。第１の突起部１７は、テンションバンドの他端部８ｃの上部に位置するため、テンションバンド８の円筒部１４からの抜けを防止する。
【産業上の利用可能性】
【００２０】
本発明にかかる磁気記録再生装置は、テンションポストの位置調整が簡単な作業で、精度よく行うことが出来、微妙な位置調整が簡単に行え、バンド固定端が位置調整時に上下方向に変形することを防止し、かつテンション制御性がよい磁気記録再生装置を、少ない部品点数にて実現することができるものであり、磁気テープに対応したカムコーダや、据置型のビデオテープレコーダー等において有用である。
【図面の簡単な説明】
【００２１】
【図１】本発明の実施の形態１における磁気記録再生装置のテンションアーム部の平面図
【図２】本発明の実施の形態１におけるバンド固定部の斜視図
【図３】本発明の実施の形態１におけるテンションバンドとバンド固定部の斜視図
【図４】本発明の実施の形態１におけるバンド固定部の平面模式図
【図５】本発明の実施の形態１におけるバンド固定部の平面模式図
【図６】従来の磁気記録再生装置におけるテンションアーム部の平面図
【符号の説明】
【００２２】
１    基盤
２    テープ
３    供給側リール台
５    テンションアーム
８    テンションバンド
１３    バンド固定部
１４    円筒部
１５    第１の柱
１６    第２の柱
１７    第１の突起部
１８    間隙部
１９    第２の突起部
２０    第１の切欠き部
２１    第２の切欠き部
【図１】
2008152857.tif 000003
【図２】
2008152857.tif 000004
【図３】
2008152857.tif 000005
【図４】
2008152857.tif 000006
【図５】
2008152857.tif 000007
【図６】
2008152857.tif 000008